(57)【要約】【課題】  光ディスク原盤の製造において、光源の利用効率を高めることにより、単位時間当たりの露光速度を大幅に向上させる。【解決手段】  光ディスク原盤露光装置において、レーザ光１と対物レンズ３との間に回折光学素子２を設け、これにより成形した光束６を対物レンズ３に入射する手段を有する。回折光学素子２は、たとえば石英ガラスを材料とし、対物レンズ３の瞳位置５で、瞳内のみフラットでかつ、瞳外では極低輝度となるように成形されている。これにより、瞳位置５での成形された光束６が瞳外にほとんど光束を持たないため、光源の有効利用が可能となり、レーザプロファイルを先鋭にすることができる。【選択図】  図２
2005266372.tif 000002
【特許請求の範囲】
【請求項１】
光ディスク原盤の製造方法であって、
前記光ディスク原盤に再生情報を記録するための露光工程において、露光光源にレーザ光を用い、集光レンズによって記録用ビームスポットを形成する場合、光路中に回折光学素子を用いて、記録用ビームスポットの形状を先鋭化させ、スポット径を縮小させることを特徴とする光ディスク原盤の製造方法。
【請求項２】
光ディスク原盤の製造方法であって、
前記光ディスク原盤に再生情報を記録する露光工程において、露光光源にレーザ光を用い、集光レンズによって記録用ビームスポットを形成する場合、光路中に回折光学素子を用いて、記録用ビームスポットの中心強度を向上させることを特徴とする光ディスク原盤の製造方法。
【請求項３】
請求項１または２記載の光ディスク原盤の製造方法において、
前記露光光源のレーザ光には、波長３００ｎｍ以下の紫外光を用い、前記回折光学素子は、石英ガラスを用いることを特徴とする光ディスク原盤の製造方法。
【請求項４】
請求項１〜３のいずれか１項に記載の光ディスク原盤の製造方法において、
前記露光工程のレジストには相変化媒体を用い、前記記録用ビームスポットにより所望のエネルギー密度以上となった領域のみが現像されることを特徴とした光ディスク原盤の製造方法。
【請求項５】
請求項１〜４のいずれか１項に記載の光ディスク原盤の製造方法において、
前記回折光学素子は、前記露光光源からの入射光を、前記集光レンズ瞳内では均一分布に、それ以外では極低輝度となる強度分布に変形させることを特徴とする光ディスク原盤の製造方法。
【請求項６】
請求項１〜４のいずれか１項に記載の光ディスク原盤の製造方法において、
前記回折光学素子は、前記露光光源からの入射光を、前記集光レンズ瞳内で輪体となる強度分布に変形させることを特徴とする光ディスク原盤の製造方法。
【請求項７】
請求項１〜６のいずれか１項に記載の光ディスク原盤の製造方法によって製造された光ディスク原盤を用いて光ディスクを製造することを特徴とする光ディスクの製造方法。
【請求項８】
光ディスク原盤に再生情報を記録する露光を行う露光装置であって、
レーザ光を照射する露光光源と、
前記露光光源の光路中に設けられ、前記露光光源から照射されたレーザ光を所望の形状の光束に形成する回折光学素子と、
前記回折光学素子によって形成された光束を記録用ビームスポットの形状に形成する集光レンズとを備え、
前記回折光学素子は、前記露光光源から照射されたレーザ光を、前記集光レンズが形成する記録用ビームスポットが先鋭化し、スポット径を縮小する形状に形成することを特徴とする露光装置。
【請求項９】
光ディスク原盤に再生情報を記録する露光を行う露光装置であって、
レーザ光を照射する露光光源と、
前記露光光源の光路中に設けられ、前記露光光源から照射されたレーザ光を所望の形状の光束に形成する回折光学素子と、
前記回折光学素子によって形成された光束を記録用ビームスポットの形状に形成する集光レンズとを備え、
前記回折光学素子は、前記露光光源から照射されたレーザ光を、前記集光レンズが形成する記録用ビームスポットの中心強度が向上する形状に形成することを特徴とする露光装置。
【請求項１０】
請求項８または９記載の露光装置において、
前記露光光源は、波長３００ｎｍ以下の紫外光よりなるレーザ光を照射し、前記回折光学素子は、石英ガラスよりなることを特徴とする露光装置。
【請求項１１】
請求項８〜１０のいずれか１項に記載の露光装置において、
前記集光レンズが形成した記録用ビームスポットによって露光されるレジストは、相変化媒体よりなり、前記集光レンズの記録用ビームスポットにより所望のエネルギー密度以上となった領域のみを現像することを特徴とする露光装置。
【請求項１２】
請求項８〜１１のいずれか１項に記載の露光装置において、
前記回折光学素子は、前記露光光源からの入射光を前記集光レンズ瞳内で均一分布に、それ以外では極低輝度となる強度分布に変形させることを特徴とする露光装置。
【請求項１３】
請求項８〜１１のいずれか１項に記載の露光装置において、
前記回折光学素子は、前記露光光源からの入射光を、前記集光レンズ瞳内で輪体となる強度分布に変形させることを特徴とする露光装置。
【発明の詳細な説明】
【技術分野】
【０００１】
本発明は、光ディスクの製造技術に関し、特に、再生専用光ディスクを製作するためのマスタリング作製工程におけるリソグラフィ工程の露光技術に適用して有効な技術に関するものである。
【背景技術】
【０００２】
図１３にＣＤ−ＲＯＭ（Ｃｏｍｐａｃｔ  Ｄｉｓｃ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）−ＲＯＭなどの光ディスク再生専用媒体の構造と読み出しの様子を示す。
【０００３】
同図に示したように、光ディスクはディスク基板５１上に反射層５２、保護層５３、接着層５４から構成されている。ディスク基板５１の下方より照射される読取レーザ光５０がディスク基板上の凹凸であるピット５５により反射されることで情報の読出しを行う。
【０００４】
光ディスクの製造には、まずスタンパと呼ばれる光ディスク原盤を用意し、これに射出成形によってディスク基板５１を転写して製作される。
【０００５】
光ディスク原盤にピットパターンを形成する際には、たとえば、レーザビーム式の光ディスク露光装置が広く用いられている。このレーザビーム式の光ディスク原盤露光装置では、フォトレジストの感光するスポットを微細化することにより、記録密度を向上することができる。
【０００６】
たとえば、特許文献１では、集光されたレーザビームを２式使い、前後左右に位置をずらして照射し、その重複する領域がレジスト感光領域となるように制御することによって、１本のレーザのみでの集光スポットよりも微細なピットを形成可能な構成としている（特許文献１参照）。
【０００７】
光ディスクにおいては、ピットパターンをフォトレジストへ描画する露光工程での描画密度が光ディスクの記録容量を決定している。たとえば、Ｂｌｕ−ｒａｙ規格の１２ｃｍディスク２５Ｇバイト媒体では、最小０．１４９μｍ程度のピット径が必要である。
【０００８】
２５Ｇバイト以上の密度で描画を行う方式には、電子ビーム（ＥＢ：Ｅｌｅｃｔｒｏｎ  Ｂｅａｍ）による描画(非特許文献１参照)や、紫外レーザを集光する方式などが提案されている。
【０００９】
電子ビーム方式による描画では、２００Ｇバイトでの高密度描画が可能であるが描画速度が遅く、描画装置も高価になるなどの課題がある。紫外レーザを集光する方式は、現行のＤＶＤマスタリング装置との共通部分も多く、低価格で高速な露光描画装置として実現できる利点がある。
【特許文献１】特開平０６−２７４９４４号公報
【非特許文献１】「日経エレクトロニクス」、日経ＢＰ社発行、２００３年５月１２日号、Ｐ１２４，Ｐ１２５
【発明の開示】
【発明が解決しようとする課題】
【００１０】
ところが、上記のような光ディスクの原盤製造技術では、次のような問題点があることが本発明者により見い出された。
【００１１】
１本のレーザビームで微細なピットを形成するには、集光スポットを微小にすることが必須である。半導体の露光では、レンズの解像限界以下パターンを形成するために、超解像を用いてビームスポットを縮小する技術が知られている。
【００１２】
その例を図１４〜図１６を用いて説明する。図１４は、超解像を用いない場合の従来のレーザビームの集光光学系の例である。
【００１３】
レーザ光源からのレーザ光５６は中心付近の出力が高く、周辺になるに従い低下するガウス分布となっている。レーザ光５６は対物レンズ５７によって集光され、レジスト塗布された基板５８上にスポット５９として結像する。対物レンズ５７での瞳位置６０でのビームプロファイル７０はレーザ光５６と同等である。
【００１４】
図１５と図１６は、超解像を用いた例である。
【００１５】
図１５は、対物レンズ５７への入射光であるレーザ光５６をビームエキスパンダ８０により瞳位置６０でビームプロファイル８１となるように拡大し、ビーム中心付近のフラットな領域のみを集光させる構成としたものである。このようにすることによって、焦点位置のビームスポット８２は、図１４のスポット５９よりも小さいスポット径となることが知られている。
【００１６】
また、同様に図１６に示すように、図１５に加えて、対物レンズの瞳位置６０を輪体状にマスク８３を加えて輪体照明とすることによっても焦点位置のビームスポット８４をスポット５９よりも小さいスポット径とすることができる。
【００１７】
しかし、これらの方式では、レーザビームの一部のみを利用しているため、集光後の光量が減少し、光源の利用効率を低下させるという問題があった。また、単位時間当たりの露光速度が低下するため、スループットの低下も問題であった。
【００１８】
本発明の目的は、光源の利用効率を高めることにより、単位時間当たりの露光速度を大幅に向上させることのできる光ディスク原盤の製造技術を提供することにある。
【００１９】
本発明の前記ならびにその他の目的と新規な特徴は、本明細書の記述および添付図面から明らかになるであろう。
【課題を解決するための手段】
【００２０】
本願において開示される発明のうち、代表的なものの概要を簡単に説明すれば、次のとおりである。
【００２１】
本発明による光ディスク原盤の製造方法は、光ディスク原盤に再生情報を記録するための露光工程において、露光光源にレーザ光を用い、集光レンズによって記録用ビームスポットを形成する場合、光路中に回折光学素子を用いて、記録用ビームスポットの形状を先鋭化させ、スポット径を縮小させるものである。
【００２２】
また、本発明による光ディスク原盤の製造方法は、光ディスク原盤に再生情報を記録する露光工程において、露光光源にレーザ光を用い、集光レンズによって記録用ビームスポットを形成する場合、光路中に回折光学素子を用いて、記録用ビームスポットの中心強度を向上させるものである。
【００２３】
また、本願のその他の発明の概要を簡単に示す。
【００２４】
本発明は、光ディスク原盤に再生情報を記録する露光を行う露光装置であって、レーザ光を照射する露光光源と、該露光光源の光路中に設けられ、該露光光源から照射されたレーザ光を所望の形状の光束に形成する回折光学素子と、該回折光学素子によって形成された光束を記録用ビームスポットの形状に形成する集光レンズとを備え、回折光学素子は、露光光源から照射されたレーザ光を、集光レンズが形成する記録用ビームスポットが先鋭化し、スポット径を縮小する形状に形成するものである。
【００２５】
また、本発明は、光ディスク原盤に再生情報を記録する露光を行う露光装置であって、レーザ光を照射する露光光源と、該露光光源の光路中に設けられ、該露光光源から照射されたレーザ光を所望の形状の光束に形成する回折光学素子と、該回折光学素子によって形成された光束を記録用ビームスポットの形状に形成する集光レンズとを備え、回折光学素子は、露光光源から照射されたレーザ光を、集光レンズが形成する記録用ビームスポットの中心強度が向上する形状に形成するものである。
【発明の効果】
【００２６】
本願において開示される発明のうち、代表的なものによって得られる効果を簡単に説明すれば以下のとおりである。
【００２７】
（１）分解性能の高い露光パターンを生成することができるので、精度の高い光ディスク原盤の製造することができる。
【００２８】
（２）また、露光光源の利用効率を高めることができるので、露光速度を向上させることができる。
【００２９】
（３）さらに、上記（１）、（２）により、光ディスク原盤の製造におけるスループットを向上することが可能となり、製造コストを大幅に低減することができる。
【発明を実施するための最良の形態】
【００３０】
以下、本発明の実施の形態を図面に基づいて詳細に説明する。なお、実施の形態を説明するための全図において、同一の部材には原則として同一の符号を付し、その繰り返しの説明は省略する。
【００３１】
（実施の形態１）
図１は、本発明の実施の形態１による光ディスク原盤露光装置の構成例を示す説明図、、図２は、図１の光ディスク原盤露光装置における光学系の説明図、図３は、図１の光ディスク原盤露光装置の対物レンズ瞳位置での成形された光束分布図、図４は、本発明者が検討したレーザプロファイルと図１の光ディスク原盤露光装置におけるレーザプロファイルとの比較図、図５は、図１の光ディスク原盤露光装置に設けられた回折光学素子の光束の分布図、図６は、図５の回折光学素子の断面図、図７は、図１の光ディスク原盤露光装置に設けられた回折光学素子の他の例を示す説明図、図８は、図７の回折光学素子によって成形された輪体光束の説明図、図９は、図１の光ディスク原盤露光装置を用いた再生用光ディスクの製造方法の一例を示す説明図、図１０は、図９に示した再生用光ディスクの製造に用いられる光ディスク原盤の製造工程の説明図である。
【００３２】
本実施の形態において、光ディスク原盤露光装置は、図１に示すように、ターンテーブル装置３１、ターンテーブル制御部３０４、記録データ処理部３０５、光学ヘッド制御系３０３、露光装置光学系３０、記録データ格納部３０６から構成されている。
【００３３】
光学装置光学部３０は、記録用レーザ光源３０１、自動焦点用レーザ光源３０２、ハーフミラー３８、焦点位置検出器３９、反射ミラー３７、回折光学素子２、自動焦点用ダイクロイックミラー３５、ならびに対物レンズ（集光レンズ）３から構成されている。
【００３４】
レジストの塗布されたディスク原盤３２は、ターンテーブル装置３１上にセットされる。光学装置光学部系３０では、記録用レーザ光源３０１からのレーザ光を反射ミラー３７にて反射させた後、回折光学素子２にて所望の形状に成形したのち、自動焦点用ダイクロイックミラー３５を通し、対物レンズ３に入射させて、ディスク原盤３２上に記録用ビームスポット７を照射する。
【００３５】
また、自動焦点機構として、記録用レーザ光源３０１とは異なる波長の自動焦点用レーザ光源３０２からのレーザ光をハーフミラー３８を通して、自動焦点用ダイクロイックミラー３５、および対物レンズ３にて試料面に照射し、その反射光を再び、対物レンズ３、自動焦点用ダイクロイックミラー３５を介して、ハーフミラー３８で反射させ、焦点位置検出器３９にて検出する。
【００３６】
焦点位置検出器３９は、予め合焦点位置での自動焦点用レーザの反射位置に調整してあり、焦点のずれに対応した信号を出力する構成となっている。焦点位置検出器３９にて検出された信号によって、ターンテーブル装置３１はディスク原盤３２の高さを調整し、露光装置光学系３０によるピット露光用スポットが常に合焦点位置となるように動作する。
【００３７】
一方、記録データ格納部３０６に格納された光ディスクへの格納データは、記録データ処理部３０５により、ピットパターンへ変換され、ターンテーブル制御部３０４、および露光装置光学系３０によって、所定の記録位置へピットパターンとして記録され、ディスク原盤３２への露光が行われる。
【００３８】
光ディスク原盤露光装置の光学系によって記録用ビームスポット７を生成する様子を図２を用いて詳しく説明する。
【００３９】
記録用レーザ光源３０１からのレーザ光１を回折光学素子２に入射させる。この時、回折光学素子２によって、対物レンズ３の瞳位置５で、瞳内のみフラットでかつ、瞳外では極低輝度となるように成形する。成形された光束６を集光し、記録用ビームスポット７としてディスク原盤３２の記録レジスト２４上に照射する。
【００４０】
回折光学素子２に成形された光束６を図３に示す。
【００４１】
図３において、上方には、光束６の光軸における垂直方向の分布４０を示しており、下方には、光束６の光軸における断面の分布４１を示しており、分布４０は対物レンズ３の瞳径と同一である。
【００４２】
このような構成とすることによって、レーザプロファイルを先鋭にすることができる。また、記録用レーザ光源３０１の波長は、概ね３００ｎｍ以下の深紫外レーザを用いることによって、記録用レーザ光源に既存の光源を使用することが可能となり、光ディスク原盤露光装置のコストを低減することができる。
【００４３】
図４は、本発明者が検討したレーザプロファイル２０、および本実施の形態におけるレーザプロファイル２２の一例を示した説明図である。
【００４４】
このように、回折光学素子２によって光束６を形成することによって、従来、記録面上でのレーザプロファイル２０であったものが、中心付近で先鋭となるレーザプロファイル２２のようになる。
【００４５】
このとき、レジストの感光反応必要強度２５以上での記録用スポット径は径２１から径２３のように微細化することができる。また、瞳位置５での成形された光束６は、瞳外にほとんど光束を持たないため、光源の有効利用が可能であり、利用効率をほとんど低下させない。
【００４６】
回折光学素子２の形状を図５、および図６に示す。図５は、回折光学素子２における主面での分布１００を、図６は、回折光学素子２の断面を示す。
【００４７】
回折光学素子２は、たとえば石英ガラスを材料とし、分布１００に示すように各微小エリア毎に入射光の位相を変化させるような分布となっている。また、図６に示すように位相差を生じさせる段差１０２，１０３によって形成されている。段差は水平方向・深さ方向とも数μｍ程度である。
【００４８】
図７は、回折光学素子２ａを用いて形成した記録用ビームスポット７を他の例を示す説明図である。
【００４９】
図７に示すように、光ディスク原盤露光装置において、回折光学素子２ａは、回折光学素子２（図１）と異なる形状となっている。
【００５０】
レーザ光源からのレーザ光１を回折光学素子２ａに入射させ、対物レンズ３の瞳位置５で、瞳内に輪体光束４３を成形する。成形された輪体光束４３を集光し、記録用ビームスポット７として記録レジスト２４上に照射する。
【００５１】
回折光学素子２ａによって成形された輪体光束４３を図８に示す。
【００５２】
図８において、上方には輪体光束４３の光軸に対して垂直な向きでの分布４２、下方には、輪体光束４３における光軸の断面方向での分布４４をそれぞれ示している。
【００５３】
分布４４は対物レンズ３の瞳径の外には光束を持たない分布としている。このような構成とすることによって、図４に示すように、中心付近で先鋭となるレーザプロファイル２２のようにすることができる。
【００５４】
図９は、光ディスク原盤露光装置を用いた再生用光ディスク（ＤＶＤ）の製造方法の一例を示す説明図である。
【００５５】
始めに、光ディスク原盤露光装置が記録データ格納部３０６に格納されたデータに基づいて、記録用レジストが塗布されたディスク原盤用（ガラス基板）に所望の原盤データを露光する。露光されたレジスト原盤を現像したのち、ニッケルメッキによりスタンパを製作する。
【００５６】
その後、スタンパにプラスティックなどのディスク材料を射出成形してパターンを転写し、再生専用ＤＶＤなどの光ディスクを生産する。
【００５７】
このように、光ディスク原盤露光装置を用いることにより、低コストで大容量のＤＶＤなどの再生用光ディスクが生産可能となる。
【００５８】
次に、図９に示した再生用光ディスクの製造に用いられる光ディスク原盤の製造工程を図１０を用いて説明する。
【００５９】
始めに、図１０（ａ）に示すガラス原盤６１上に図１０（ｂ）に示すように、記録レジスト２４を塗布する。続いて、図１０（ｃ）に示すように、光ディスク原盤露光装置を用いて記録レジスト２４が塗布されたガラス原盤６１の主面上に記録用ビームスポット７を照射して転写するピットパターン６３を描画し、記録レジスト２４の露光を行う。
【００６０】
そして、現像処理を行い、図１０（ｄ）に示すように、ピットパターン６３をガラス原盤６１の主面上に形成する。
【００６１】
その後、図１０（ｅ）に示すように、ピットパターン６３が形成されたガラス原盤６１の主面にニッケルメッキ処理を施した後、該ニッケルめっきを剥離し、図１０（ｆ）に示すように、スタンパ６４を作製する。
【００６２】
そして、図１０（ｇ）、および図１０（ｈ）に示すように、スタンパ６４を用いて、図９に示した製造方法によって再生用ディスク６５を転写、剥離し、再生用ディスク６５を形成する。
【００６３】
それにより、本実施の形態１によれば、レーザプロファイルを先鋭にする回折光学素子２を用いることにより、短時間で高性能な光ディスク原盤を形成することができる。
【００６４】
（実施の形態２）
図１１は、本発明の実施の形態２による光ディスク原盤露光装置における光学系の構成例を示す説明図である。
【００６５】
本実施の形態２において、図１１は、液浸レンズ方式を組み合せた光ディスク原盤露光装置における光学系の説明図である。光学系のうち、光学系にレーザ光１、回折光学素子２、対物レンズ３、瞳位置５、光束６、および記録用ビームスポット７については、前記実施の形態１と同様であるので説明を省略する。
【００６６】
純水タンク２０１内の純水を放出器２０２より対物レンズ３と基板４の間に放出し、純水領域２００を形成する。他方、吸水器２０３で余分な純水を純水タンク２０１に回収する構造となっている。
【００６７】
光ディスクのマスタリングに用いる対物レンズ３の開口数（ＮＡ）は一般に０．９程度であり、対物レンズと基板４との距離(ワーキングディスタンス)は数１００μｍ程度であるため、純水領域２００は対物レンズ周辺の僅かな領域のみで十分である。
【００６８】
このような構成とすることによって、空気の屈折率１より大きな水の屈折率１．４４を利用できる。
【００６９】
一般に、光ディスク露光装置の解像度はレーザ光源波長が短いほど、また対物レンズの開口数（ＮＡ）が大きいほど高くなる。ＮＡは媒体の屈折率に比例するため、空気の場合より１．４４倍高い解像度が得られる。
【００７０】
また、供給する媒体は純水に限定する必要は無く、空気の屈折率１より大きな屈折率であり、対物レンズ及び基板４に影響を与えないものであればよい。
【００７１】
この場合においても、記録用レーザ光源３０１の波長は、概ね３００ｎｍ以下の深紫外レーザが用いられる。これによって、記録用レーザ光源に既存の光源を使用することが可能となり、光ディスク原盤露光装置のコストを低減することができる。
【００７２】
それにより、本実施の形態２においては、より高い解像度の露光パターンを形成することが可能となるので、短時間で、より高性能な光ディスク原盤を形成することができる。
【００７３】
（実施の形態３）
図１２は、本発明の実施の形態３による光ディスク原盤露光装置における光学系の構成例を示す説明図である。
【００７４】
本実施の形態３において、図１２は、前記実施の形態１の光ディスク原盤露光装置における露光装置光学系３０部分の自動焦点部分を別の構成としたものである。
【００７５】
図示するように、記録用レーザ光源３０１からのレーザ光は、反射ミラー３７、回折光学素子２、および対物レンズ３により、レジストを塗布した基板４上に記録用ビームスポット７として集光される。
【００７６】
また、記録用レーザ光源３０１と異なる波長の自動焦点用レーザ３０２からのレーザ光は、反射ミラー３１０を介して、基板４上で反射し、反射ミラー３１０と対称な位置に配置した光位置検出センサ３１１に入射する。
【００７７】
光位置検出センサ３１１では、基板４の高さに応じて、入射光の位置が変化するため、基板４の高さ変位を検出することが可能であるため、その出力値から露光装置光学系３０の自動焦点機構として機能する。
【００７８】
また、本実施の形態３においても、記録用レーザ光源として使用する波長は概ね３００ｎｍ以下の深紫外レーザを用いる。これにより、光ディスク原盤露光装置のコストを低減することができる。
【００７９】
それにより、本実施の形態３においても、短時間で高性能な光ディスク原盤を形成することができる。
【００８０】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００８１】
本発明の光ディスク原盤の製造技術は、光ディスク原盤製造工程での高精度な露光技術に適している。
【図面の簡単な説明】
【００８２】
【図１】本発明の実施の形態１による光ディスク原盤露光装置の構成例を示す説明図である。
【図２】図１の光ディスク原盤露光装置における光学系の説明図である。
【図３】図１の光ディスク原盤露光装置の対物レンズ瞳位置での成形された光束分布図である。
【図４】本発明者が検討したレーザプロファイルと図１の光ディスク原盤露光装置におけるレーザプロファイルとの比較図である。
【図５】図１の光ディスク原盤露光装置に設けられた回折光学素子の光束の分布図である。
【図６】図５の回折光学素子の断面図である。
【図７】図１の光ディスク原盤露光装置に設けられた回折光学素子の他の例を示す説明図である。
【図８】図７の回折光学素子によって成形された輪体光束の説明図である。
【図９】図１の光ディスク原盤露光装置を用いた再生用光ディスクの製造方法の一例を示す説明図である。
【図１０】図９に示した再生用光ディスクの製造に用いられる光ディスク原盤の製造工程の説明図である。
【図１１】本発明の実施の形態２による光ディスク原盤露光装置における光学系の構成例を示す説明図である。
【図１２】本発明の実施の形態３による光ディスク原盤露光装置における光学系の構成例を示す説明図である。
【図１３】本発明者が検討した光ディスク再生専用媒体の構造と読み出しの様子を示す説明図である。
【図１４】光ディスク原盤露光装置における本発明者が検討した従来の超解像を用いない集光光学系の構成を示す説明図である。
【図１５】光ディスク原盤露光装置における本発明者が検討した従来の超解像を用いた際の集光光学系の構成の一例を示す説明図である。
【図１６】光ディスク原盤露光装置における本発明者が検討した従来の超解像を用いた際の集光光学系の構成の他の例を示す説明図である。
【符号の説明】
【００８３】
１…レーザ光、２…回折光学素子、２ａ…回折光学素子、３…対物レンズ（集光レンズ）、４…基板、５…瞳位置、６…光束、７…記録用ビームスポット、２０…レーザプロファイル、２１…ビームスポット径、２２…ビームスポットプロファイル、２３…ビームスポット径、２４…記録レジスト２５…感光強度しきい値、３０…露光装置光学系、３１…ターンテーブル装置、３２…ディスク原盤、３４…対物レンズ、３５…自動焦点用ダイクロイックミラー、３６…ビーム径調整機構、３７…反射ミラー、３８…ハーフミラー、３９…焦点位置検出器、３０１…記録用レーザ光源、３０２…自動焦点用レーザ光源、３０３…光学ヘッド制御系、３０４…ターンテーブル制御部、３０５…記録データ処理部、３０６…記録データ格納部、４０，４１，４２…分布、４３…輪体光束、４４…分布、５０…読取レーザ光、５１…ディスク基板、５２…反射層、５３…保護層、５４…接着層、５５…ピット、５６…レーザ光、５７…対物レンズ、５８…基板、５９…スポット、６０…瞳位置、６１…ガラス原盤、６３…ピットパターン、６４…スタンパ、６５…再生用ディスク、７０…ビームプロファイル、８０…ビームエキスパンダ、８１…ビームプロファイル、８２…ビームスポット、８３…輪体マスク、８４…ビームスポット、１００…分布、１０２，１０３…段差、２００…純水領域、２０１…純水タンク、２０２…放出器、２０３…吸水器、３０１…記録用レーザ、３０２…自動焦点用レーザ、３１０…反射ミラー、３１１…光位置検出センサ。
【図１】
2005266372.tif 000003
【図２】
2005266372.tif 000004
【図３】
2005266372.tif 000005
【図４】
2005266372.tif 000006
【図５】
2005266372.tif 000007
【図６】
2005266372.tif 000008
【図７】
2005266372.tif 000009
【図８】
2005266372.tif 000010
【図９】
2005266372.tif 000011
【図１０】
2005266372.tif 000012
【図１１】
2005266372.tif 000013
【図１２】
2005266372.tif 000014
【図１３】
2005266372.tif 000015
【図１４】
2005266372.tif 000016
【図１５】
2005266372.tif 000017
【図１６】
2005266372.tif 000018